(57)【要約】【課題】  奥行き感がある表示画像を表示できる車両用表示装置を提供する。【解決手段】  表示器２０は、画像Ｇ１，Ｇ２，Ｇ３を表示する。制御手段４０は、表示器２０に画像Ｇ１，Ｇ２，Ｇ３を表示させる。画像Ｇ１，Ｇ２，Ｇ３は、指針式計器画像である。制御手段４０は、不鮮明な状態から鮮明な状態に、画像Ｇ２，Ｇ３を徐々に拡大または縮小させながら表示器２０に表示させる。制御手段４０は、仮想点Ｖ１から放射状に伸びる仮想直線Ｖ２，Ｖ３，Ｖ４，Ｖ５に沿って画像Ｇ２，Ｇ３が移動するように、画像Ｇ２，Ｇ３を表示させるものである。【選択図】  図６
2015031550.tif 000002
【特許請求の範囲】
【請求項１】
画像を表示する表示器と、前記表示器に前記画像を表示させる制御手段と、を備えた車両用表示装置であって、
前記制御手段は、不鮮明な状態から鮮明な状態に、または、鮮明な状態から不鮮明な状態に、前記画像を徐々に拡大または縮小させながら前記表示器に表示させることを特徴とする車両用表示装置。
【請求項２】
前記制御手段は、仮想点から伸びる仮想線に沿って前記画像が移動するように、前記画像を表示させることを特徴とする請求項１に記載の車両用表示装置。
【請求項３】
前記制御手段は、仮想点から放射状に伸びる仮想直線に沿って前記画像が移動するように、前記画像を表示させることを特徴とする請求項１に記載の車両用表示装置。
【請求項４】
前記画像は、指針式計器画像であることを特徴とする請求項１に記載の車両用表示装置。
【発明の詳細な説明】
【技術分野】
【０００１】
本発明は、画像を表示する表示器を備えた車両用表示装置に関するものである。
【背景技術】
【０００２】
従来の車両用表示装置は、例えば、特許文献１に開示されるものがある。この車両用表示装置は、燃料消費量が表示される燃費計、エンジンの回転数が表示される回転計、車両の速度が表示される車速計、車輌の走行距離が表示される走行距離表示、油温が表示される温度計が液晶表示部で構成されており、表示画像を視認性良く、且つ明確に表示できるものである。
【先行技術文献】
【特許文献】
【０００３】
【特許文献１】特開２００７−２７８７０９号公報
【発明の概要】
【発明が解決しようとする課題】
【０００４】
しかしながら、特許文献１に開示された車両用表示装置は、液晶表示部の画面形状が平面であるため、表示画像も平面的であるといった問題を有している。
本発明は、この問題に鑑みなされたものであり、奥行き感がある表示画像を表示できる車両用表示装置を提供するものである。
【課題を解決するための手段】
【０００５】
本発明は、画像Ｇ１，Ｇ２，Ｇ３を表示する表示器２０と、前記表示器２０に前記画像Ｇ１，Ｇ２，Ｇを表示させる制御手段４０と、を備えた車両用表示装置であって、前記制御手段４０は、不鮮明な状態から鮮明な状態に、または、鮮明な状態から不鮮明な状態に、前記画像Ｇ２，Ｇ３を徐々に拡大または縮小させながら前記表示器２０に表示させるものである。
【０００６】
また、本発明は、前記制御手段４０は、仮想点Ｖ１から伸びる仮想線Ｖ２，Ｖ３，Ｖ４，Ｖ５，Ｖ６，Ｖ７に沿って前記画像Ｇ２，Ｇ３が移動するように、前記画像Ｇ２，Ｇ３を表示させるものである。
【０００７】
また、本発明は、前記制御手段４０は、仮想点Ｖ１から放射状に伸びる仮想直線Ｖ２，Ｖ３，Ｖ４，Ｖ５に沿って前記画像が移動するように、前記画像Ｇ２，Ｇ３を表示させるものである。
【０００８】
また、本発明は、前記画像Ｇ１，Ｇ２，Ｇ３は、指針式計器画像であるものである。
【発明の効果】
【０００９】
不鮮明な状態から鮮明な状態に画像を徐々に拡大または縮小させることにより、奥行き感がある表示になる。
【図面の簡単な説明】
【００１０】
【図１】本発明の第一実施形態を示す正面図。
【図２】同上実施形態を示すブロック図。
【図３】同上実施形態を示す画面説明図。
【図４】同上実施形態を示す画面説明図。
【図５】同上実施形態を示す画面説明図。
【図６】同上実施形態を示す画面模式図。
【図７】本発明の第二実施形態を示す画面模式図。
【図８】本発明の第三実施形態を示す画面模式図。
【発明を実施するための形態】
【００１１】
以下、添付図面に基づいて、本発明の一実施形態を説明する。図１乃至図６は、第一実施形態を示すものである。
【００１２】
車両用表示装置は、警告灯１０と、各種車両情報を表示する液晶表示器２０と、これらを覆う外装部材３０とを備えている。車両用表示装置は、所定のレイアウトにて、複数の車両情報画像を液晶表示器２０に表示する。
【００１３】
図２は、車両用表示装置の電気的構成を示すブロック図である。マイコン４０は、ＣＰＵ４１，ＲＯＭ４２，ＲＡＭ４３を有している。各種センサ５０で検出された計測値は、マイコン４０に出力される。マイコン４０は、ＲＯＭ４２に格納されている所定のプログラムに基づいて、警告灯１０及び液晶表示器２０を駆動する。
【００１４】
図３乃至図５は、表示画像Ｇ１，Ｇ２，Ｇ３の遷移を示したものである。表示画像Ｇ１は、車両速度を表示する指針式計器画像である。表示画像Ｇ２は、エンジン回転数を表示する指針式計器画像である。表示画像Ｇ３は、吸気圧を表示する指針式計器画像である。
【００１５】
図３は、表示画像Ｇ２，Ｇ３が出現する状態を示している。表示画像Ｇ２，Ｇ３は、高透明度，ぼかし適用，サイズ縮小により、背景画像に融和した不鮮明な状態になっている。図４は、表示画像Ｇ２，Ｇ３が動的に変化した後、定位置で表示を継続している状態を示している。この時、表示画像Ｇ２，Ｇ３は、不透明，ぼかし不適用，最適サイズで表示されており、背景とのコントラストが強く、遷移の中で最も鮮明に表示された状態になっている。
【００１６】
図５は、表示画像Ｇ１，Ｇ３は変化無く定位置で表示を継続し、表示画像Ｇ２は動的に消失する状態を示している。この時、表示画像Ｇ２は、高透明度，ぼかし適用，サイズ拡大により、背景画像に融和した不鮮明な状態になっている。表示画像Ｇ１は定位置で表示を継続しており、表示画像Ｇ２，Ｇ３は途中から出現し、その後、表示画像Ｇ２が消失する。
【００１７】
図６（ａ）及び図６（ｂ）は、図３及び図４の移動遷移を模式的に示した図である。表示画像Ｇ２は、仮想点Ｖ１から放射状に伸長する仮想直線Ｖ２，Ｖ３に沿うように徐々に拡大しながら出現する。このとき、表示画像Ｇ２は、徐々に、不鮮明な状態から鮮明な状態になる。また、表示画像Ｇ３は、仮想点Ｖ１から放射状に伸長する仮想直線Ｖ４，Ｖ５に沿うように徐々に拡大しながら出現する。このとき、表示画像Ｇ３は、徐々に、不鮮明な状態から鮮明な状態になる。
【００１８】
表示画像Ｇ２，Ｇ３は、仮想点Ｖ１から放射状に伸ばした仮想直線Ｖ２，Ｖ３，Ｖ４，Ｖ５に接するように移動しながらサイズを拡大させることで遠近法の理論により、仮想点Ｖ１に近く小さい表示画像Ｇ２，Ｇ３は遠くに、仮想点Ｖ１から離れて大きい表示画像Ｇ２，Ｇ３は近くにあるように感じさせることができる。
【００１９】
図６（ｃ）は、図５の移動遷移を模式的に示した図である。表示画像Ｇ２は、仮想点Ｖ１から放射状に伸長する仮想直線Ｖ２，Ｖ３に沿うように徐々に拡大しながら消失する。このとき、表示画像Ｇ２は、徐々に、鮮明な状態から不鮮明な状態になる。
【００２０】
なお、仮想点Ｖ１の位置は、液晶表示器２０の内部でも外部でも良い。また、仮想点Ｖ１の位置は、固定していなくても良く、場面毎に変わっても良い。また、表示画像Ｇ２，Ｇ３が出現，消失する位置は、仮想点Ｖ１から近くでも離れていても良く、手前から出現して奥側に消失するように表示しても良い。
【００２１】
図７は、第二実施形態を示す模式図である。表示画像Ｇ２は、仮想点Ｖ１から放射状に伸長する仮想直線Ｖ２，Ｖ３に沿うように徐々に縮小しながら出現する。このとき、表示画像Ｇ２は、徐々に、不鮮明な状態から鮮明な状態になる。
【００２２】
図８は、第三実施形態を示す模式図である。表示画像Ｇ３は、仮想点Ｖ１から伸長する仮想曲線Ｖ６，Ｖ７に沿うように徐々に拡大しながら出現する。このとき、表示画像Ｇ２は、徐々に、不鮮明な状態から鮮明な状態になる。
【００２３】
各実施形態によれば、表示画像Ｇ２，Ｇ３を定位置以外で背景に融和させ、定位置では鮮明に表示させることにより、定位置の状態を強調し、奥行感を表現することができる。また、仮想点Ｖ１と仮想線Ｖ２，Ｖ３，Ｖ４，Ｖ５，Ｖ６，Ｖ７を設けた遠近法の表現により、表示画像Ｇ１，Ｇ２．Ｇ３に奥行感、遠近感が生じる。
【産業上の利用可能性】
【００２４】
本発明は、表示画像の切り替え、オープニング、エンディング、ワーニング、その他文字情報の表示に適用できる。
【符号の説明】
【００２５】
２０    液晶表示器（表示器）
４０    マイコン（制御手段）
Ｇ１    表示画像（画像）
Ｇ２    表示画像（画像）
Ｇ３    表示画像（画像）
Ｖ１    仮想点
Ｖ２    仮想直線（仮想線）
Ｖ３    仮想直線（仮想線）
Ｖ４    仮想直線（仮想線）
Ｖ５    仮想直線（仮想線）
Ｖ６    仮想曲線（仮想線）
Ｖ７    仮想曲線（仮想線）
【図１】
2015031550.tif 000003
【図２】
2015031550.tif 000004
【図６】
2015031550.tif 000005
【図７】
2015031550.tif 000006
【図８】
2015031550.tif 000007
【図３】
2015031550.tif 000008
【図４】
2015031550.tif 000009
【図５】
2015031550.tif 000010